(57)【要約】【課題】特定の電力需要家の電力消費傾向や日毎の実態等を一目で容易に把握することができ、ひいては消費電力の抑制に向けた効果的な対策を策定することができる新規なデマンドグラフ作成表示装置等を提供する。【解決手段】デマンドグラフ作成手段が記憶手段５５に記憶されたデマンド情報に基づいて、デマンド値軸６１ｆと時刻軸６１ｈとにより区画された表示区画６１ｊ内に、特定の月を構成する日単位のデマンド値の推移を表示する３１本以下の日単位の折れ線の全て６１ｘが互いに識別可能に表示されてなる単月デマンドグラフを作成し、上記デマンドグラフ作成手段により作成された単月デマンドグラフは、制御手段５２により、記憶手段５５に記憶され、デマンドグラフ表示手段５７は、上記制御手段５２により、上記記憶手段５５に記憶された単月デマンドグラフを表示する。【選択図】        図７
2018068061.tif 000002
【特許請求の範囲】
【請求項１】
デマンドグラフ作成表示装置に係るものであって、
制御手段にそれぞれ接続され該制御手段により制御される記憶手段、デマンドグラフ作成手段及びデマンドグラフ表示手段を備え、
上記記憶手段は、上記制御手段により、特定の電力需要家に関する電力使用日時及び所定の単位時間当たりの最大デマンド値を含む複数のデマンド情報を記憶し、
上記デマンドグラフ作成手段は、上記制御手段により、上記記憶手段に記憶されたデマンド情報に基づいて、デマンド値の量を示す目盛りが表示された縦軸としてのデマンド値軸と、一日を所定の単位時間に区切って時間を示す目盛りが表示された横軸としての時刻軸と、が所定区画内に表示されてなるとともに、上記デマンド値軸と時刻軸とにより区画された表示区画内に、特定の月を構成する日単位のデマンド値の推移を表示する３１本以下の日単位の折れ線の全てが互いに識別可能に表示されてなる単月デマンドグラフを１又は複数作成し、
上記デマンドグラフ作成手段により作成された単月デマンドグラフは、上記制御手段により、上記記憶手段に記憶され、
上記デマンドグラフ表示手段は、上記制御手段により、上記記憶手段に記憶された単月デマンドグラフを表示する、ことを特徴とするデマンドグラフ作成表示装置。
【請求項２】
前記デマンドグラフ作成手段により作成される単月デマンドグラフは、前記日単位の折れ線の全てが、それぞれ日単位で異なる色により識別可能に作成されるとともに、前記単月デマンドグラフの下方には、各日単位の折れ線と各日との対応関係を示す対応関係表示部が設けられてなるものであることを特徴とする請求項１記載のデマンドグラフ作成表示装置。
【請求項３】
前記制御手段が、前記記憶手段に記憶されたデマンド情報が複数月に亘って記憶されていると判別した場合、前記デマンドグラフ作成手段は、判別された月数に対応した数の単月デマンドグラフをそれぞれ該当する月の情報と共に作成し、該単月デマンドグラフのそれぞれを所定の区画内において縦方向及び／又は横方向に複数並べられた複数月一体形式のデマンドグラフを作成することを特徴とする請求項１又は２記載の何れかのデマンドグラフ作成表示装置。
【請求項４】
前記制御手段が、前記記憶手段に記憶されたデマンド情報が複数月に亘って記憶されていると判別した場合、前記デマンドグラフ作成手段は、判別された月数に応じて前記単月デマンドグラフを個々に作成するとともに、これら個々の単月デマンドグラフを所定の区画内において縦方向及び／又は横方向に複数並べて作成された複数月一体形式のデマンドグラフを作成するとともに、
前記制御手段は、上記個々の単月デマンドグラフと上記複数月一体形式のデマンドグラフとを、それぞれ別個に前記記憶手段に記憶させるとともに、
前記デマンドグラフ表示手段は、上記制御手段により、上記記憶手段に記憶された個々の単月デマンドグラフの何れか、又は上記複数月一体形式のデマンドグラフを選択的に表示し、且つ、該単月デマンドグラフの何れかが選択された場合には該複数月一体形式のデマンドグラフを構成する個々の単月デマンドグラフの大きさよりも該選択された単月デマンドグラフを大きく表示することを特徴とする請求項１又は２記載の何れかのデマンドグラフ作成表示装置。
【請求項５】
前記制御手段が、前記記憶手段に記憶されたデマンド情報が複数月に亘って記憶されていると判別した場合、
該制御装置は、該複数月を通して最大デマンド値が発生した最大デマンド月を抽出するとともに、
前記デマンドグラフ作成手段は、前記複数月一体形式のデマンドグラフの内で、上記最大デマンド月に係る一の単月デマンドグラフと他の単月デマンドグラフと識別する月識別部を作成することを特徴とする請求項３又は４記載の何れかのデマンドグラフ作成表示装置。
【請求項６】
前記制御手段は、前記記憶手段に記憶されたデマンド情報から、所定期間内における最大デマンド値と、この最大デマンド値が発生した最大デマンド値発生日と、上記最大デマンド値が発生した最大デマンド値発生時刻とをそれぞれ抽出し、これら最大デマンド値、最大デマンド発生日及び上記最大デマンド値発生時刻を前記記憶手段に記憶させるとともに、
前記デマンドグラフ作成手段は、上記制御手段により、上記最大デマンド値、最大デマンド発生日及び上記最大デマンド値発生時刻が表示された最大デマンド情報表示部を、前記単月デマンドグラフ又は複数月一体形式のデマンドグラフの近傍に作成することを特徴とする請求項１，２，３，４又は５記載の何れかのデマンド値表示グラフの作成表示装置。
【請求項７】
デマンドグラフ作成表示方法に係るものであって、
特定の電力需要家に関する電力使用日時及び所定の単位時間当たりの最大デマンド値を含む複数のデマンド情報を記８憶手段に記憶するデマンド情報記憶ステップと、
上記記憶手段に記憶されたデマンド情報に基づいて、デマンド値の量を示す目盛りが表示された縦軸としてのデマンド値軸と、一日を所定の単位時間に区切って時間を示す目盛りが表示された横軸としての時刻軸と、が所定区画内に表示されてなるとともに、上記デマンド値軸と時刻軸とにより区画された表示区画内に、特定の月を構成する日単位のデマンド値の推移を表示する３１本以下の日単位の折れ線の全てが互いに識別可能に表示されてなる単月デマンドグラフをデマンドグラフ作成手段により作成するデマンドグラフ作成ステップと、
上記デマンドグラフ作成ステップにより作成された単月デマンドグラフをデマンドグラフ表示装置により表示するデマンドグラフ表示ステップと、を備え、
上記デマンド情報記憶ステップと、上記デマンドグラフ作成ステップと、上記デマンドグラフ表示ステップとは、上記記憶手段、デマンドグラフ作成手段及びデマンドグラフ表示手段にそれぞれ接続された制御手段により制御され実行されることを特徴とするデマンドグラフ作成表示方法。
【請求項８】
前記請求項１ないし６記載の何れかのデマンドグラフ作成表示装置として、又は前記請求項７記載のデマンドグラフ作成表示方法としてコンピュータを機能させることを特徴とするデマンドグラフ作成表示用プログラム。
【請求項９】
前記請求項１ないし６記載の何れかのデマンドグラフ作成表示装置、又は前記請求項７記載のデマンドグラフ作成表示方法、又は前記請求項８記載のデマンドグラフ作成表示用プログラムの何れかを使用して作成された前記単月デマンドグラフ及び／又は前記複数月一体形式のデマンドグラフが、印刷手段により用紙又はフィルム若しくはシートに印刷されてなることを特徴とするデマンド値表示グラフ。
【発明の詳細な説明】
【技術分野】
【０００１】
本発明は、電力会社の電気料金の算出に使用される所定期間内のデマンド値を含む各種の情報に基づいて、デマンドグラフを作成し表示するデマンドグラフ作成表示装置、デマンドグラフ作成表示方法、デマンドグラフ作成表示用プログラム又はデマンドグラフに関するものである。
【背景技術】
【０００２】
電力需要家と電力会社との間で締結される電気料金の基本契約は、実量制により決定される契約電力の大きさに基づいて定められ、契約電力が大きいほど高い基本料金が設定される。この契約電力については、電力量計の計測単位時間における平均電力の一カ月における最大値がその月の最大需要電力（最大デマンド値）であって当月を含む過去１年間におけるデマンド値の最大値に合せて決定される。したがって、電力需要家が電力会社に支払うべき電気料金を下げるためには、過去のデマンド値を正確に把握し、これに基づいて全体としての消費電力を下げるばかりではなく、最大デマンド値を下げる努力が重要となる。
【０００３】
ところで、こうした過去のデマンド値を把握する手法として、縦軸をデマンド値とし、横軸に時間軸とした一日当たりのグラフを、上下が同じ曜日として一枚の区画内に一ヶ月分（最大３１日分）を並べた状態で表示したデマンドカレンダーと称される技術が、このデマンドカレンダーを作成する装置とともに提案されている（特許文献１参照）。こうした従来のデマンドカレンダー等によれば、各日において最大デマンド値となるデマンド時限やその最大デマンド値を一目で把握することができるとともに、視線をずらすことにより同じ週の他の日における最大デマンド値や他の週の同じ曜日における最大デマンド値を容易に比較することができる。
【先行技術文献】
【特許文献】
【０００４】
【特許文献１】特開２０１４−１３２８２２号公報
【発明の概要】
【発明が解決しようとする課題】
【０００５】
しかしながら、上記特許文献に開示されたデマンドカレンダーでは、日単位のデマンド値が表示された棒グラフが、所定の区画内に一ヶ月分、所定の状態で並べて表示されているものに過ぎないことから、日単位のデマンド値同士を比較する作業においては、このデマンドカレンダーを利用する利用者自身が注意深く観察しなければ、特定の電力需要家の電力消費傾向等を把握することは極めて困難であり、将来に向けた消費電力の軽減等に関する計画を策定することは難しい。換言すれば、上記デマンドカレンダーを使用しながら行われるべき過去の電力消費傾向や無駄な電力消費の実態等の確認・検証作業は、最大で３１個の棒グラフをそれぞれデマンド軸と時間軸とを配慮しながら相当注意深く行わざるを得ず、場合によっては重要な事実を見逃してしまう危険性すら生じかねず、ひいては電力会社に支払われる電気料金の低減に向けて必要且つ十分な対策を策定し、それを効果的に実行することは期待できない。
【０００６】
そこで、本発明は、上述した従来のデマンドカレンダーが有する課題を解決するために提案されたものであって、特定の電力需要家の電力消費傾向や日毎の実態等を一目で容易に把握することができ、ひいては消費電力の抑制に向けた効果的な対策を策定することができる新規なデマンドグラフ作成表示装置等を提供することを目的とするものである。
【課題を解決するための手段】
【０００７】
本発明は、上述した目的を達成するために提案されたものであり、以下に説明する第１の発明（請求項１記載の発明）のように、デマンドグラフ作成表示装置として実現できるばかりではなく、第７の発明（請求項７記載の発明）のようにデマンドグラフ作成表示方法としても実現可能であるとともに、このような発明の一部をソフトウェアとして構成し、第８の発明（請求項８記載の発明）のようにデマンドグラフ作成表示用プログラムとして、該ソフトウェアをコンピュータ等のハード手段に実行させるために用いるプログラム（ソフトウェア製品やソフトウェアを記録媒体に固定した記録媒体）を使用して実現することも可能である。
【０００８】
すなわち、第１の発明（請求項１記載の発明）は、デマンドグラフ作成表示装置に係るものであって、制御手段にそれぞれ接続され該制御手段により制御される記憶手段、デマンドグラフ作成手段及びデマンドグラフ表示手段を備え、上記記憶手段は、上記制御手段により、特定の電力需要家に関する電力使用日時及び所定の単位時間当たりの最大デマンド値を含む複数のデマンド情報を記憶し、上記デマンドグラフ作成手段は、上記制御手段により、上記記憶手段に記憶されたデマンド情報に基づいて、デマンド値の量を示す目盛りが表示された縦軸としてのデマンド値軸と、一日を所定の単位時間に区切って時間を示す目盛りが表示された横軸としての時刻軸と、が所定区画内に表示されてなるとともに、上記デマンド値軸と時刻軸とにより区画された表示区画内に、特定の月を構成する日単位のデマンド値の推移を表示する３１本以下の日単位の折れ線の全てが互いに識別可能に表示されてなる単月デマンドグラフを１又は複数作成し、上記デマンドグラフ作成手段により作成された単月デマンドグラフは、上記制御手段により、上記記憶手段に記憶され、上記デマンドグラフ表示手段は、上記制御手段により、上記記憶手段に記憶された単月デマンドグラフを表示する、ことを特徴とするものである。
【０００９】
この第１の発明に係るデマンドグラフ作成装置のハード構成は、パーソナルコンピュータを例に挙げて説明すれば、上記記憶手段は、ＲＡＭ等のメモリーに該当するが、ＵＳＢ端子等を介してパーソナルコンピュータに接続されたＵＳＢメモリー又はハードディスク等の外部記憶装置であっても良い。また、上記制御手段は、上記記憶手段に接続されてなるとともに、上記デマンドグラフ作成装置やデマンドグラフ表示装置に接続され、上記記憶手段に含まれるＲＡＭ等の記憶装置に記憶されたプログラムに従って、各種の情報処理を行う演算処理するＭＰＵやＣＰＵである。そして、上記記憶手段には、特定の電力需要家に関する電力使用日時及び所定の単位時間当たりの最大デマンド値を含む複数のデマンド情報が記憶される。上記電力使用日時は、電力使用日と時間とを含むものであり、上記所定の単位時間当たりの最大デマンド値とは、例えば、３０分を１単位として計測された平均電力が最大デマンド値（最大需要電力：ｋＷ）である。すなわち、計測が開始される時間から計測が終了する時間を計測時間の１単位として、この計測開始時刻から計測終了時刻までの所定時間における平均電力が最大デマンド値である。なお、こうした記憶手段に記憶されるデマンド情報は、有線又は無線のネットワーク（ＬＡＮ、ＷＡＮ又はインターネット）を介して計測装置（電力量計）やサーバー装置などから取得することも可能である。また、この記憶手段に記憶される上記デマンド情報は、ＣＳＶファイル、テキストファイル等、任意のフォーマットによるものであれば良い。
【００１０】
また、上記デマンドグラフ作成手段は、上記制御手段により、１又は複数の単月デマンドグラフを作成するものである。この単月デマンドグラフは、少なくとも、上記記憶手段に記憶されたデマンド情報に基づいて、デマンド値の量を示す目盛りが表示された縦軸としてのデマンド値軸と、一日を所定の単位時間に区切って時間を示す目盛りが表示された横軸としての時刻軸と、が所定区画内に表示されてなるとともに、上記デマンド値軸と時刻軸とにより区画された表示区画内に、特定の月を構成する日単位のデマンド値の推移を表示する３１本以下の日単位の折れ線の全てが互いに識別可能に表示されてなるものである。この単月デマンドグラフを構成する上記縦軸としてのデマンド値軸やその目盛りは、デマンド値（ｋＷ）を示すものであり、また、上記横軸としての時刻軸は、上記単位時間が（例えば）３０分である場合には、００時００分から３０分毎に目盛りが表示されたものである。また、この単月デマンドグラフには、特定の月を構成する日単位のデマンド値の推移を表示する３１本以下の日単位の折れ線の全てが表示されている。例えば、上記記憶手段に記憶されたデマンド情報が２５日分の情報である場合には、上記デマンドグラフ作成手段は、２５日分の（２５本の）折れ線グラフを備えたデマンドグラフを作成する。一方、上記記憶手段に記憶されたデマンド情報が、複数月に亘った情報である場合、例えば、５月１日から８０日分の情報である場合には、５月分（３１日分：３１本の折れ線）と、６月分（３０日分：３０本の折れ線）と、７月分（１９日分：１９本の折れ線）の計３つの単月デマンドグラフが作成される。なお、このように複数月に亘って複数の単月デマンドグラフが作成された場合、それぞれの単月デマンドグラフの配置態様は、特に限定されるものではない。そして、この第１の発明において、上記デマンドグラフ作成手段により作成される一又は複数の単月デマンドグラフは、上記３１本以下の日単位の折れ線の全てが互いに識別可能に表示されてなるものである。このように、個々の日単位の折れ線を識別する方法・態様は、それぞれの日単位の折れ線をそれぞれ色により識別する方法（請求項２記載の発明参照）以外に、例えば、直線、点線一点鎖線等や線の太さ等をそれぞれ異なるものとするように、各日単位の折れ線の形態・種類等を変えて識別するものであっても良い。
【００１１】
また、上記デマンドグラフ表示手段は、上記デマンドグラフ作成手段により作成された単月デマンドグラフであって上記制御手段により上記記憶手段に記憶されたものを（使用者・利用者・作業者が目視できるように）表示するものであって、該表示手段は、コンピュータ本体に無線又は有線若しくはインターネットを介して接続され、又はコンピュータ本体と一体とされたモニタ等がこれに該当する。
【００１２】
したがって、この発明によれば、上記デマンドグラフ作成手段により作成され、上記デマンドグラフ表示手段により表示された単月デマンドグラフは、特定の月を構成する一日毎のデマンド値の推移が、同じ区画内に表示されていることから、特定の電力需要家の電力消費傾向や日毎の実態等を一目で容易に把握することができ、ひいては消費電力の抑制に向けた効果的な対策を策定することができる。このことをより具体的に説明すれば、例えば一ヶ月間の内で、特定の一日又は数日の深夜から早朝に亘って、多くの他の日の水準よりも消費電力値が一定程度高い水準で経過している場合、何らかの電気機器や装置等の消し忘れがあったこと等を容易に確認することができ、また、日中における電力値においても、凡そ何時から何時までの時間帯において多い電力が使用されているかが、日毎に正確に確認することができる。このため、例えば、業務終了後におけるスイッチの切り忘れを防止するために一定の確認作業を義務付けるとか、多数の装置を同時に使用することなく分けて作業を行う等の計画を立案する等し、最大デマンド値や全体の消費電力の低減に向けた実効性の高い施策を策定することが可能となる。
【００１３】
また、第２の発明（請求項２記載の発明）は、上記第１の発明において、前記デマンドグラフ作成手段により作成される単月デマンドグラフは、前記日単位の折れ線の全てが、それぞれ日単位で異なる色により識別可能に作成されるとともに、前記単月デマンドグラフの下方には、各日単位の折れ線と各日との対応関係を示す対応関係表示部が設けられてなるものであることを特徴とするものである。
【００１４】
この第２の発明に係るデマンドグラフ作成表示装置では、日単位の折れ線の全てが、それぞれ日単位で異なる色により識別可能に作成されるとともに、前記単月デマンドグラフの下方には、各日単位の折れ線と各日との対応関係を示す対応関係表示部が設けられていることから、上記単月デマンドグラフに表示された複数の折れ線の内で、多くの他の日の電力値とは異なる電力値を発見した場合、その特定の折れ線の色と同じ色である特定の日を上記対応関係表示部から把握することができる。このように、特定の折れ線の色を頼りに特定の日が確認された場合、その日の業務実態や業務に従事した人等の過去の事情等を確認することができ、ひいてはこうした事情等に配慮した実効性の高い施策の策定が可能となる。
【００１５】
また、第３の発明（請求項３記載の発明）は、上記第１又は第２の発明の何れかにおいて、前記制御手段が、前記記憶手段に記憶されたデマンド情報が複数月に亘って記憶されていると判別した場合、前記デマンドグラフ作成手段は、判別された月数に対応した数の単月デマンドグラフをそれぞれ該当する月の情報と共に作成し、該単月デマンドグラフのそれぞれを所定の区画内において縦方向及び／又は横方向に複数並べられた複数月一体形式のデマンドグラフを作成することを特徴とするものである。
【００１６】
この第３の発明に係るデマンドグラフ作成表示装置では、制御手段が、前記記憶手段に記憶されたデマンド情報が複数月に亘って記憶されていると判別したことを条件に、複数月一体形式のデマンドグラフを作成するものである。この複数月一体形式のデマンドグラフは、判別された月数に対応した数の単月デマンドグラフであってそれぞれ該当する月の情報と共に作成されたもののそれぞれを、所定の区画内において縦方向及び／又は横方向に複数並べられたものである。例えば、記憶手段に記憶されたデマンド情報が、六ヵ月分のデマンド情報である場合には、６つの単月デマンドグラフが各月（例えば、「４月」、「５月」、「６月」等の文字）の表示と共に並べられたものが、この複数月一体形式のデマンドグラフである。なお、この複数月一体形式のデマンドグラフを構成する各単月デマンドグラフを構成する縦軸としてのデマンド値軸の範囲は、それぞれの単月デマンドグラフ間で共通したものとされている。
【００１７】
したがって、上記第３の発明に係るデマンドグラフ作成表示装置によれば、上記複数月一体形式のデマンドグラフを構成する個々の単月デマンドグラフのみを目視することにより、先に説明した当月の消費電力傾向等を把握できるばかりではなく、それぞれ並べられた単月デマンドグラフ同士を互いに見比べることにより、季節ごとの消費電力傾向等のように、ある程度長い期間に亘った消費電力傾向を容易に把握することができるばかりではなく、単月デマンドグラフから発見・確認された僅かな異常値ないし問題点と同様の状態を他の単月デマンドグラフからも容易に発見・確認することができ、例えば、こうした異常値等の発生は冬場又は夏場に多く見られる等の傾向も把握することが可能となる。
【００１８】
なお、上記複数月一体形式のデマンドグラフに表示された個々の単月デマンドグラフの並べ方は、所定の区画内において、若い月の単月デマンドグラフから順次横方向に並べられたものや、縦方向に並べられたもの以外に、所定の区画内に縦方向及び横方向にマトリックス状に並べられたものであっても良い。
【００１９】
また、第４の発明（請求項４記載の発明）は、上記第１又は第２の発明の何れかにおいて、前記制御手段が、前記記憶手段に記憶されたデマンド情報が複数月に亘って記憶されていると判別した場合、前記デマンドグラフ作成手段は、判別された月数に応じて前記単月デマンドグラフを個々に作成するとともに、これら個々の単月デマンドグラフを所定の区画内において縦方向及び／又は横方向に複数並べて作成された複数月一体形式のデマンドグラフを作成するとともに、前記制御手段は、上記個々の単月デマンドグラフと上記複数月一体形式のデマンドグラフとを、それぞれ別個に前記記憶手段に記憶させるとともに、
前記デマンドグラフ表示手段は、上記制御手段により、上記記憶手段に記憶された個々の単月デマンドグラフの何れか、又は上記複数月一体形式のデマンドグラフを選択的に表示し、且つ、該単月デマンドグラフの何れかが選択された場合には該複数月一体形式のデマンドグラフを構成する個々の単月デマンドグラフの大きさよりも該選択された単月デマンドグラフを大きく表示することを特徴とするものである。
【００２０】
この第４の発明に係るデマンドグラフ作成表示装置では、前記デマンドグラフ表示手段は、上記制御手段により、上記記憶手段に記憶された個々の単月デマンドグラフの何れか、又は上記複数月一体形式のデマンドグラフを選択的に表示し、且つ、該単月デマンドグラフの何れかが選択された場合には該複数月一体形式のデマンドグラフを構成する個々の単月デマンドグラフの大きさよりも該選択された単月デマンドグラフを大きく表示するものであることから、上記複数月一体形式のデマンドグラフから該複数月一体形式のデマンドグラフを構成する特定の単月デマンドグラフからでは明確に読み取り難い僅かな消費電力値の異常を発見した場合、その後に、この特定の単月デマンドグラフのみを選択して上記デマンドグラフ表示装置に表示すると、この特定の単月デマンド値は、複数月一体形式のデマンドグラフを構成する個々の単月デマンドグラフの大きさよりも選択された単月デマンドグラフは大きく表示されることから、上記僅かなデマンド値の異常をより正確に把握・確認することができる。
【００２１】
また、第５の発明（請求項５記載の発明）は、上記第３又は第４の発明の何れかにおいて、前記制御手段が、前記記憶手段に記憶されたデマンド情報が複数月に亘って記憶されていると判別した場合、該制御装置は、該複数月を通して最大デマンド値が発生した最大デマンド月を抽出するとともに、前記デマンドグラフ作成手段は、前記複数月一体形式のデマンドグラフの内で、上記最大デマンド月に係る一の単月デマンドグラフと他の単月デマンドグラフと識別する月識別部を作成することを特徴とするものである。
【００２２】
この第５の発明に係るデマンドグラフ作成表示装置では、前記デマンドグラフ作成手段は、前記複数月一体形式のデマンドグラフの内で、上記最大デマンド月に係る一の単月デマンドグラフと他の単月デマンドグラフと識別する月識別部を作成することから、この月識別部により、個々の単月デマンドグラフをそれぞれ見比べることなく、該複数月を通して発生した最大デマンド月に係る一の単月デマンドグラフを一目で容易且つ迅速に特定することができる。そして、この特定された一の単月デマンドグラフを目視することにより、どの日の何時から何時に亘る時間帯に最大デマンド値が記録されたかを容易に把握することができる。
【００２３】
また、第６の発明（請求項６記載の発明）は、上記第１ないし第５の発明の何れかにおいて、前記制御手段は、前記記憶手段に記憶されたデマンド情報から、所定期間内における最大デマンド値と、この最大デマンド値が発生した最大デマンド値発生日と、上記最大デマンド値が発生した最大デマンド値発生時刻とをそれぞれ抽出し、これら最大デマンド値、最大デマンド発生日及び上記最大デマンド値発生時刻を前記記憶手段に記憶させるとともに、
前記デマンドグラフ作成手段は、上記制御手段により、上記最大デマンド値、最大デマンド発生日及び上記最大デマンド値発生時刻が表示された最大デマンド情報表示部を、前記単月デマンドグラフ又は複数月一体形式のデマンドグラフの近傍に作成することを特徴とするものである。
【００２４】
この第６の発明に係るデマンドグラフ作成表示装置では、前記デマンドグラフ作成手段は、上記制御手段により、上記最大デマンド値、最大デマンド発生日及び上記最大デマンド値発生時刻が表示された最大デマンド情報表示部を、前記単月デマンドグラフ又は複数月一体形式のデマンドグラフの近傍に作成するものであることから、上記最大デマンド情報表示部を目視することにより、最大デマンド値、最大デマンド発生日及び上記最大デマンド値発生時刻をそれぞれ一目で確認することができる。
【００２５】
また、第７の発明（請求項７記載の発明）は、デマンドグラフ作成表示方法に係るものであり、第８の発明（請求項８記載の発明）は、前記第１ないし６の何れかの発明に係るデマンドグラフ作成表示装置として、又は前記第７の発明（請求項７記載の発明）に係るデマンドグラフ作成表示方法として、コンピュータを機能させるデマンドグラフ作成表示用プログラムである。
【００２６】
また、第９の発明（請求項９記載の発明）は、デマンド値表示グラフに係るものであって、上記第１ないし第６の発明に係る何れかのデマンドグラフ作成表示装置、又は第７の発明に係るデマンドグラフ作成表示方法、又は第８の発明に係るデマンドグラフ作成表示用プログラムの何れかを使用して作成された前記単月デマンドグラフ及び／又は前記複数月一体形式のデマンドグラフが用紙又はフィルム若しくはシートに印刷されてなることを特徴とするものである。
【発明の効果】
【００２７】
上記第１の発明（請求項１記載の発明）に係るデマンドグラフ作成表示装置や、第７の発明（請求項７記載の発明）に係るデマンドグラフ作成表示方法又は第８の発明（請求項８記載の発明）に係るデマンドグラフ作成表示用プログラムによれば、特定の電力需要家の電力消費傾向や日毎の実態等を一目で容易に把握することができ、ひいては消費電力の抑制に向けた効果的な対策を策定することができる。例えば、一ヶ月間の内で、特定の一日又は数日の深夜から早朝に亘って、多くの他の日の水準よりも消費電力値が一定程度高い水準で経過している場合、何らかの電気機器や装置等の消し忘れがあったこと等を容易に確認することができ、また、日中にける電力値においても、凡そ何時から何時までの時間帯において多い電力が使用されているかが、日毎に正確に確認することができる。このため、例えば、業務終了後におけるスイッチの切り忘れを防止するために一定の確認作業を義務付けるとか、多数の装置を同時に使用することなく分けて作業を行う等の計画を立案する等し、契約電力の増加や全体の消費電力の低減に向けた実効性の高い施策を策定することが可能となる。
【００２８】
特に、第２の発明に係るデマンドグラフ作成表示装置では、日単位の折れ線の全てが、それぞれ日単位で異なる色により識別可能に作成されるとともに、前記単月デマンドグラフの下方には、各日単位の折れ線と各日との対応関係を示す対応関係表示部が設けられていることから、上記単月デマンドグラフに表示された複数の折れ線の内で、多くの他の日の電力値とは異なる電力値を発見した場合、その特定の折れ線の色と同じ色である特定の日を上記対応関係表示部から把握することができる。このように、特定の折れ線の色を頼りに特定の日が確認された場合、その日の業務実態や業務に従事した人等の過去の事情等を確認することができ、ひいてはこうした事情等に配慮した実効性の高い施策の策定が可能となる。
【００２９】
また、第３の発明（請求項３記載の発明）に係るデマンドグラフ作成表示装置によれば、上記複数月一体形式のデマンドグラフを構成する個々の単月デマンドグラフのみを目視することにより、先に説明した当月の消費電力傾向等を把握できるばかりではなく、それぞれ並べられた単月デマンドグラフ同士を互いに見比べることにより、季節ごとの消費電力傾向等のように、ある程度長い期間に亘った消費電力傾向を容易に把握することができるばかりではなく、単月デマンドグラフから発見・確認された僅かな異常値ないし問題点と同様の状態を他の単月デマンドグラフからも容易に発見・確認することができ、例えば、こうした異常値等の発生は冬場又は夏場に多く見られる等の傾向も把握することが可能となる。
【００３０】
また、第４の発明（請求項４記載の発明）に係るデマンドグラフ作成表示装置によれば、上記複数月一体形式のデマンドグラフを構成する特定の単月デマンドグラフからでは明確に読み取り難い僅かな消費電力値の異常を発見した場合、その後に、この特定の単月デマンドグラフのみを選択して上記デマンドグラフ表示装置に表示すると、この特定の単月デマンド値は、複数月一体形式のデマンドグラフを構成する個々の単月デマンドグラフの大きさよりも選択された単月デマンドグラフは大きく表示されることから、上記僅かなデマンド値の異常をより正確に把握・確認することができる。
【００３１】
また、第５の発明（請求項５記載の発明）に係るデマンドグラフ作成表示装置によれば、上記月識別部により、個々の単月デマンドグラフをそれぞれ見比べることなく、該複数月を通して発生した最大デマンド月に係る一の単月デマンドグラフを一目で容易且つ迅速に特定することができる。そして、この特定された一の単月デマンドグラフを目視することにより、どの日の何時から何時に亘る時間帯に最大デマンド値が記録されたかを容易に把握することができる。
【００３２】
また、第６の発明（請求項６記載の発明）に係るデマンドグラフ作成表示装置によれば、上記最大デマンド情報表示部を目視することにより、最大デマンド値、最大デマンド発生日及び上記最大デマンド値発生時刻をそれぞれ一目で確認することができる。
【図面の簡単な説明】
【００３３】
【図１】発明の実施の形態に係るデマンドグラフ作成表示装置等のハード構成を示すブロック図である。
【図２】デマンド情報の詳細を示すテーブルを示す図である。
【図３】単月デマンドグラフ用テンプレートを示す図である。
【図４】複数月一体形式のデマンドグラフ用テンプレートを示す図である。
【図５】発明の実施の形態に係るデマンドグラフ作成表示装置によりデマンドグラフを作成し表示などする流れを示すフローチャートである。
【図６】発明の実施の形態に係るデマンドグラフ作成表示装置によりデマンドグラフを作成し表示などする流れを示すフローチャートである。
【図７】単月デマンドグラフを示す図である。
【図８】複数月一体形式のデマンドグラフを示す図である。
【図９】複数月一体形式のデマンドグラフの他の例を示す図である。
【発明を実施するための形態】
【００３４】
以下、本発明を実施するための最良の形態に係るデマンドグラフ作成表示装置及びこのデマンドグラフ作成表示装置を使用して行われるデマンドグラフ作成表示方法について、図面を参照しながら詳細に説明するとともに、このデマンドグラフ作成表示装置又は方法により作成され用紙に印刷された各デマンドグラフを説明する。
【００３５】
この実施の形態に係るデマンドグラフ作成表示装置５１は、電力需要家による所定単位時間当たりの（３０分を１単位時間とした）消費電力値（デマンド値）に関するデマンド情報を取得し、この取得されたデマンド情報を基に、所定のデマンドグラフを作成するとともに該デマンドグラフを後述する表示装置５７に表示し、また上記デマンドグラフを後述する印刷装置５８により紙面に印刷することができるように構成されたものである。そして、このように上記デマンドグラフ作成表示装置５１により作成表示又は印刷されたデマンドグラフから、過去のデマンド値の推移の実態やその傾向或いは無駄な電力消費傾向を把握することにより、電気料金の削減や消費電力量の低減に向けた施策を策定することを目的とするものである。なお、本発明に係るデマンドグラフ作成表示装置５１は、電力需要家自身が所有し、所定のプログラムにより自らインターネットなどの通信網を介してデマンドサービス提供事業者が所有する（後述する）監視サーバー４１に接続することにより、上記デマンド情報を取得し後述するデマンドグラフを作成表示するプロセスを採用することも可能であるが、この実施の形態に係るデマンドグラフ作成表示装置５１は、上記デマンドサービス提供事業者により使用され、以下の説明する紙面に印刷されたデマンドグラフを電力需要家に提示しながら消費電力に関する助言を行うことを前提に説明する。
【００３６】
図１は、本実施の形態に係るデマンドグラフ作成表示装置５１のハード構成を示すブロック図であり、同図中、左側において一点鎖線で囲われた部位Ａは、電力需要家の事業所等に設置されたものであり、右側において二点鎖線で囲われた部位Ｂは、デマンドサービス提供事業者に設置されたものである。そこで、先ず上記電力需要家の事業所等に設置されたハード構成を説明し、次いで、上記デマンドサービス提供事業者に設置されたハード構成を説明しながら、所定のプログラムにより作成表示されるとともに、紙面に印刷されたデマンドグラフの具体例を説明する。
【００３７】
上記電力需要家の事業所には、図示しない機械装置等のように電力を消費する負荷電気設備の消費電力を計測する電子式電力量計１が設置されており、この電子式電力量計１は、間にパルス検出器２を介して、デマンド監視装置３が接続されている。そして、このデマンド監視装置３は、上記パルス検出器２により検出されたパルス信号を計数し演算する中央演算処理装置（以下、監視側ＣＰＵと言う。）３１と、この監視側ＣＰＵ３１に接続された時計部３２を備えている。この時計部３２は、現在時刻を計時するとともに、デマンド時限（３０分）を計測して、デマンド時限３０分を示すデマンド時限信号と現在時刻からデマンド時限３０分までの残時間と所定時間毎の演算間隔を決める演算信号とを上記監視側ＣＰＵ３１に出力するものである。また、上記監視側ＣＰＵ３１には、記憶部３３が接続され、この記憶部３３は、上記監視側ＣＰＵ３１における演算のための情報（プログラム）を記憶するとともに、該監視側ＣＰＵ３１の演算結果を記憶するものである。また、上記監視側ＣＰＵ３１には、表示装置３４が接続されている。この表示装置３４は、上記監視側ＣＰＵ３１による演算結果などを表示するものである。また、このデマンド監視装置３は、上記記憶部３３に所定のプログラムをインストールする際や、各種の設定値の設定又はその変更等を行う情報入力装置３５が接続されている。また、上記デマンド監視装置３には、上記監視側ＣＰＵ３１による演算結果であり上記記憶部３３に記憶され、少なくとも３０分毎の最大デマンド値を含む基礎デマンド情報を、インターネット又はＦＯＭＡ（Freedom of mobile multimedia Access)に基づく通信ネットワーク等の通信網２１を介して後述する監視サーバー４１に送信するとともに、後述する監視サーバー４１からの命令信号を受信する送受信装置４が接続されている。
【００３８】
一方、上記デマンドサービス提供事業者には、上記通信網２１を介して接続される監視サーバー（サーバーコンピュータ）４１が設置されてなるとともに、この監視サーバー４１にインターネットなどの通信網２１を介して接続され本発明に係るデマンドグラフ作成表示装置５１が設置されている。
【００３９】
上記監視サーバー４１は、図示しない中央演算処理装置（以下、サーバー側ＣＰＵと言う。）と、このサーバー側ＣＰＵに接続され、上記デマンド監視装置３に接続された送受信装置と上記ＦＯＭＡに基づく通信ネットワーク等の通信網２１を介して、上記基礎デマンド情報を受信するとともに該サーバー側ＣＰＵにより所定の命令信号を送信する図示しない送受信装置と、上記サーバー側ＣＰＵに接続され、この送受信装置を介して上記デマンド監視装置３から送信された基礎デマンド情報や、この基礎デマンド情報に基づいて生成されたデマンド情報、上記電力量計１等が設置された電力需要家の住所、名称、連絡先及び該電力需要家毎の識別記号等の電力需要家のＩＤ情報等が記憶されるＲＡＭ（記憶部）と、上記サーバー側ＣＰＵに接続され、上記監視サーバー４１を動作させるためのプログラム等が記憶されたＲＯＭ（記憶部）と、上記ＲＡＭに記憶された基礎デマンド情報をデマンド情報に変換するデマンド情報変換部と、時刻を計測する時計部とを、それぞれ備えている。なお、このデマンド情報変換部により変換されたデマンド情報は、図２に示すように、上記電力需要家の識別記号、電力需要家の事業所の名称、日付、計測開始時刻、計測終了時刻、最大電力値（ｋＷ）に関するＣＳＶ（Comma Separated Value）ファイル（データ）である。そして、上記監視サーバー４１は、上記時計部により所定時刻となったことが上記サーバー側ＣＰＵにより判別された場合、該サーバー側ＣＰＵは、上記送受信装置を介して、上記デマンド監視装置３に接続するとともに、該デマンド監視装置３を構成する記憶部３３に記憶された上記基礎デマンド情報を、上記ＲＡＭ（記憶部）に記憶・格納する。
【００４０】
また、上記デマンドグラフ作成表示装置５１は、上記監視サーバー４１にインターネット等の通信網２１を介して接続可能とされたコンピュータであり、図１に示すように、中央演算処理装置（以下、作成側ＣＰＵと言う。）５２と、この作成側ＣＰＵ５２に接続され、通信ネットワーク等の通信網２１を介して、該デマンドグラフ作成表示装置５１と上記監視サーバー４１とを接続し、該監視サーバー４１に所定の命令信号を送信するとともに上記デマンド情報等を受信する送受信装置５３と、上記作成側ＣＰＵ５２にそれぞれ接続された記憶部としてのＲＯＭ５４及びＲＡＭ５５と、上記作成側ＣＰＵ５２に接続された入力装置５６と、上記作成側ＣＰＵ５２に接続された表示装置５７と、上記作成側ＣＰＵ５２に接続された印刷装置５８と、を備えている。上記ＲＯＭ５４には、オペレーションシステム、ワードプロセッサや表計算に使用される各種のプログラムは勿論、このデマンドグラフ作成表示装置５１を動作させるためのプログラム等が記憶されている。また、上記ＲＡＭ５５は、使用者のＩＤ情報やパスワード、上記電力量計１が設置されデマンドサービス提供事業者との間で契約を締結した複数の電力需要家の住所、名称、連絡先及び該電力需要家毎の識別記号等の電力需要家のＩＤ情報、上記送受信装置５３を介して上記監視サーバー４１から送信されたデマンド情報、このデマンドグラフ作成表示装置５１により生成された複数の折れ線、カレンダー情報、後述する単月デマンドグラフ用テンプレート６１（図３参照）、複数月一体形式のデマンドグラフ用テンプレート７１（図４参照）、これら単月デマンドグラフ用テンプレート６１や複数月一体形式のデマンドグラフ用テンプレート７１に表示され上記デマンド情報から抽出された最大電力発生日、最大電力発生時刻、最大電力値等が記憶されるものである。
【００４１】
また、上記入力装置５６は、このデマンドグラフ作成表示装置５１を構成する上記ＲＯＭ５４に上記オペレーションシステムその他の各プログラムを記憶（格納）する際、またこれらのプログラムを起動させる際、或いはこのデマンドグラフ作成表示装置５１により上記監視サーバー４１に接続しデマンド情報を取得する際、該デマンド情報を用いてデマンドグラフの作成を開始する際、また、上記ＲＡＭ５５に記憶された単月デマンドグラフ用テンプレート６１や複数月一体形式のデマンドグラフ用テンプレート７１を書き換える際、該ＲＡＭ５５に記憶された各デマンドグラフ（単月デマンドグラフ、複数月一体形式のデマンドグラフ）を選択し後述する表示装置５７に表示させる際等において、各種の命令信号を入力する使用されるものである。また、上記表示装置５７は、本発明を構成するデマンドグラフ表示手段であり、上記入力装置５６の使用による命令信号の入力に基づき上記作成側ＣＰＵ５２による演算処理を介して、上記ＲＡＭ５５に記憶された各種の情報、とりわけ上記単月デマンドグラフ用テンプレート６１や複数月一体形式のデマンドグラフ用テンプレート７１、上記各デマンドグラフ（単月デマンドグラフ、複数月一体形式のデマンドグラフ）が表示されるものである。また、上記印刷装置５８は、本発明を構成する印刷手段であり、上記入力装置５６の使用による命令信号の入力に基づき上記作成側ＣＰＵ５２による演算処理を介して、上記各デマンドグラフ（単月デマンドグラフ、複数月一体形式のデマンドグラフ）を紙面等のシート体に印刷するものである。なお、上記ＲＡＭ５５、上記入力装置５６、表示装置５７及び印刷装置５８は、それぞれ所定の端子又はケーブルを介して図示しないデマンドグラフ作成表示装置５１に接続されているものであっても良い。
【００４２】
そして、上記単月デマンドグラフ用テンプレート６１は、図３に示すように、方形状に仕切られたグラフ表示区画６１ａと、このグラフ表示区画６１ａの上方に設けられた月表示部６１ｂと、この月表示部６１ｂの下方に設けられた顧客識別記号表示部６１ｃと、上記月表示部６１ｂの右側に設けられた「日負荷曲線」の文字６１ｄと、この文字６１ｄの下方に設けられ特定の電力需要家の名称や識別記号を表示するＩＤ情報表示部６１ｅとを、備えている。また、この単月デマンドグラフ用テンプレート６１には、デマンド値を示す縦軸としてのデマンド値軸６１ｆと、一日（２４時間）を１時間単位で区切って示された時間を表す数字６１ｇと、これら数字６１ｇに対応した位置と数字６１ｇと数字６１ｇとの間の位置にそれぞれ目盛り（符号は省略する。）が表示された横軸としての時刻軸６１ｈと、日単位の折れ線が複数本記録される折れ線表示区画６１ｊと、を備えている。なお、上記デマンド値軸６１ｆの左側には、上記デマンド情報に含まれた所定期間（指定期間）内における最大デマンド値に基づいて決定されるデマンド値の量を示す数値が表示されるデマンド値表示部６１ｋが設けられている。また、この単月デマンドグラフ用テンプレート６１では、上記時間を表す各数字６１ｇの下方には、特定の月を構成する「１日」・・・「３１日（又は２８，２９日又は３０日）」の各文字６１ｍと、これらの文字６１ｍの左側に表示されそれぞれ色分けされた直線６１ｎとからなる対応関係表示部６１ｐとを備えている。また、上記グラフ表示区画６１ａの下方には、最大電力表示表６１ｑが、本発明を構成する最大デマンド情報表示部として設けられ、この最大電力表示表６１ｑには、「最大電力発生日」の文字６１ｒ、「最大電力発生時刻」の文字６１ｓ及び「最大電力（ｋＷ）」の文字６１ｔがそれぞれ表示され、上記「最大電力発生日」の文字６１ｒの右側には、後述するステップＳｔ４で特定された最大電力発生日が表示される最大電力発生日表示部６１ｕが設けられ、上記「最大電力発生時刻」の文字６１ｓの右側には、後述するステップＳｔ４で特定された最大電力発生時刻が表示される最大電力発生時刻表示部６１ｖが設けられ、また上記「最大電力（ｋＷ）」の文字６１ｔの右側には、後述するステップＳｔ３で特定された最大電力値が表示される最大電力表示部６１ｗが設けられている。
【００４３】
また、上記複数月一体形式のデマンドグラフ用テンプレート７１は、この実施の形態に係るデマンドグラフ作成表示装置５１では、六ヵ月を一体形式としたものであり、図４に示すように、以下の構成を１単位とした６つの単月グラフ表示部７１ａを備えている。なお、これら６つの単月グラフ表示部７１ａは、左上から右側に順番に（若い月から順番に）三ヵ月分が設けられ、左下から更に（若い月から順番に）三ヵ月分が設けられている。また、これらそれぞれの単月グラフ表示部７１ａは、上記単月デマンドグラフ用テンプレート６１を構成するグラフ表示区画６１ａ、デマンド値軸６１ｆ、顧客識別記号表示部６１ｃ、ＩＤ情報表示部６１ｅ、デマンド値軸６１ｆの左側に配置されたデマンド値表示部６１ｋ、上記時間を表す数字６１ｇが表示された横軸としての時刻軸６１ｈ、上記折れ線表示区画６１ｊ、上記デマンド値表示部６１ｋ、上記対応関係表示部６１ｐがそれぞれ設けられている（なお、図４には、これらの符号は、上記折れ線表示区画６１ｊを除き、省略する。）。また、この複数月一体形式のデマンドグラフ用テンプレート７１には、後述するステップＳｔ３２にて該複数月一体形式のデマンドグラフ用テンプレート７１に「＊最大電力値発生月＊」の文字が表示される注意喚起表示部７１ｂが、上記それぞれの単月グラフ表示部７１ａの上方に配置されている。
【００４４】
また、この複数月一体形式のデマンドグラフ用テンプレート７１の上端側中央には、「＊月別日負荷曲線＊」の文字７１ｄが表示され、この文字７１ｂｄ右側には、本発明に係るデマンドグラフ作成表示装置５１により作成されるデマンドグラフが複数月に亘るもの
である場合において、該複数月の範囲を示す月範囲表示部７１ｅが「平成、年、月」も文字と共に設けられている。また、上記６つの単月グラフ表示部７１ａの内で最上段の最も左側に配置された単月グラフ表示部７１ａの上側には、特定の電力需要家の名称と識別記号とが表示されるＩＤ情報表示部７１ｆが設けられている。また、この複数月一体形式のデマンドグラフ用テンプレート７１には、各単月グラフ表示部７１ａ内の最上部には、各月単位のデマンドグラフがどの月に係るものであるかを示す月表示部７１ｃがそれぞれ設けられている。また、この複数月一体形式のデマンドグラフ用テンプレート７１の上記月範囲表示部７１ｅの下方には、最大電力表示表７１ｇが、本発明を構成する最大デマンド情報表示部として設けられ、この最大電力表示表７１ｇには、「最大電力発生日」の文字７１ｈと、この文字７１ｈの右側に配置され後述するステップＳｔ１０で特定された最大電力発生日が表示される最大電力発生日表示部７１ｊと、この最大電力発生日表示部７１ｊの右側に配置された「最大電力発生時刻」の文字７１ｋと、この文字７１ｋの右側に配置され後述するステップで特定された最大電力発生時刻が表示される最大電力発生時刻表示部７１ｍと、この最大電力発生時刻表示部７１ｍの右側に配置され「最大電力（ｋＷ）」の文字７１ｎと、この文字７１ｎの右側に配置され、後述するステップＳｔ１２で特定された最大電力値が表示される最大電力表示部７１ｐから構成されている。なお、この複数月一体形式のデマンドグラフ用テンプレート７１は、上記６つの単月グラフ表示部７１ａを備えているものばかりではなく、年間のカレンダーのように、１２の単月グラフ表示部７１ａを備えているものであっても良い。
【００４５】
以下、上述したデマンドグラフ作成表示装置５１により、デマンドグラフを作成等する方法を、図５又は図６に示すフローチャートに従って説明する。
【００４６】
先ず、上記デマンドグラフ作成表示装置５１を構成する上記入力装置５６を使用し、上記送受信装置５３を介して、該デマンドグラフ作成表示装置５１と監視サーバー４１とが接続されるとともに、特定の電力需要家に関する所定のＩＤ及びパスワードが該監視サーバー４１により認識され、上記表示装置５７に表示された（デマンド情報を入手する期間である）指定期間に所定の期間が入力され、所定の部位がクリックされると、上記作成側ＣＰＵ５２により、上記監視サーバー４１を構成するＲＡＭに記憶された（所定期間に亘る）デマンド情報が取得される（ステップＳｔ１）。なお、このデマンド情報や該デマンド情報を入手する期間は、それぞれ上記ＲＡＭ５５に記憶される。そして、このようにＲＡＭ５５にデマンド情報等が記憶されると、次いで、上記作成側ＣＰＵ５２により、上記ＲＡＭ５５に記憶されたカレンダー情報を参照し、上記要求された所定期間が、複数月に亘ったものか否かが判別される（ステップＳｔ２）。このステップＳｔ２において、指定期間が複数月に亘ったものではない、と判別された場合には、図６に示すように、上記指定期間内における最大電力値が抽出される（ステップＳｔ３）とともに、最大電力発生日時が抽出される（ステップＳｔ４）。そして、上記ステップＳｔ３において最大電力値が抽出されると、次いで、縦軸最大値が決定される（ステップＳｔ５）。なお、これら抽出された最大電力値（最大デマンド値）、最大電力発生日時及び上記縦軸最大値に関する情報は、それぞれ上記ＲＡＭ５５に記憶される。また、上記縦軸最大値に関する情報は、上記単月デマンドグラフ用テンプレート６１に設けられたデマンド値表示部６１ｋの数値を生成する際に使用される情報である。
【００４７】
また、上記ステップＳｔ４及びステップＳｔ５が終了すると、次いで、上記作成側ＣＰＵ５２により、上記指定期間を構成する日毎の日負荷曲線（最大３１本の折れ線）がそれぞれ生成され（ステップＳｔ６）、次いで、単月デマンドグラフが生成される（ステップＳｔ７）。なお、このステップＳｔ７で生成された単月デマンドグラフは、上記ＲＡＭ５５に記憶される。なお、このステップＳｔ７において生成された単月デマンドグラフは、図７に示すように、上記各グラフ表示区画６１ａに具体的な日毎の負荷曲線群（折れ線群）６１ｘが表示されているばかりではなく、上記ＲＡＭ５５に記憶された特定の年及び月が上記月表示部６１ｂに表示され、上記ＲＡＭ５５に記憶された電力需要家の識別記号及びその名称が上記顧客識別記号表示部６１ｃに表示され、上記ステップＳｔ５にて決定されＲＡＭ５５に記憶された縦軸最大値に関する情報による数値（目盛り）が上記デマンド値表示部６１ｋに表示され、上記ＲＡＭ５５に記憶された最大電力発生日が上記最大電力発生日表示部６１ｕに表示され、また、上記ステップＳｔ４で抽出されたＲＡＭ５５に記憶された最大電力発生時刻が上記電力発生時刻表示部６１ｖに表示され、上記ステップＳｔ４にて抽出されＲＡＭ５５に記憶された最大電力値（最大デマンド値）が上記最大電力表示部６１ｗに表示されたものである。
【００４８】
そして、上記入力装置５６によりデマンドグラフを表示するための所定の命令信号が入力されると、上記作成側ＣＰＵ５２は、上記表示装置５７にＲＡＭ５５に記憶された上記単月デマンドグラフを表示し（ステップＳｔ８）、また、ステップＳｔ９において、上記入力装置５６により該単月デマンドグラフを出力（印刷）するための命令信号が入力されると、上記印刷装置５８により所定の紙等のシート体に図７に示す上記単月デマンドグラフが印刷される。
【００４９】
一方、ステップＳｔ２において、上記作成側ＣＰＵ５２により指定期間が複数月に亘ったものである、と判別された場合には、図５に示すように、上記指定期間内における最大電力発生日時が抽出され（ステップＳｔ１０）。そして、このステップＳｔ１０において最大電力発生日時が抽出されると、ステップＳｔ１１において、上記指定期間内における最大電力発生月が、また、ステップＳｔ１２においては、上記指定期間内における最大電力値（最大デマンド値）がそれぞれ抽出されるとともに、上記ＲＡＭ５５に記憶されたカレンダー情報を対照しながら、最初の一ヶ月目のデマンド情報、二ヶ月目のデマンド情報・・・ｎヶ月目のデマンド情報がそれぞれ抽出される（ステップＳｔ１３、ステップＳｔ１４、ステップＳｔ１５）。そして、上記ステップＳｔ１２において、上記最大電力値（最大デマンド値）が抽出されると、次いで、縦軸最大値が決定される（ステップＳｔ１６）。このステップＳｔ１６にて決定された縦軸最大値は、上記複数月一体形式のデマンドグラフ用テンプレート７１に設けられた個々の単月グラフ表示部７１ａのデマンド値の量を示す数値が表示されるデマンド値表示部６１ｋにそれぞれ共通して用いられるものである。また、上記ステップＳｔ１３が終了すると、ステップＳｔ１７において、一ヶ月目のデマンド情報から最大電力値（最大デマンド値）が抽出されＲＡＭ５５に記憶されるとともに、ステップＳｔ１８において、該一ヶ月目のデマンド情報から最大電力発生日時が抽出されＲＡＭ５５に記憶される。また、上記ステップＳｔ１７が終了すると、次いで、ステップＳｔ１９において、縦軸最大値が抽出されＲＡＭ５５に記憶される。なお、上記ステップＳｔ１７、ステップＳｔ１８、ステップＳｔ１９で行われる動作は、上記ステップＳｔ３、ステップＳｔ４、ステップＳｔ５と同様の動作である。また、上記ステップＳｔ１４が終了した場合において、同じように、二ヶ月目のデマンド情報から最大電力値（最大デマンド値）が抽出されＲＡＭ５５に記憶される（ステップＳｔ２０）とともに、該二ヶ月目のデマンド情報から最大電力発生日時が抽出されＲＡＭ５５に記憶され（ステップＳｔ２１）、また上記縦軸最大値が抽出されＲＡＭ５５に記憶され（ステップＳｔ２２）、ステップＳｔ１５が終了すると、ｎヶ月目のデマンド情報から最大電力値（最大デマンド値）が抽出されＲＡＭ５５に記憶される（ステップＳｔ２３）とともに、該ｎヶ月目のデマンド情報から最大電力発生日時が抽出されＲＡＭ５５に記憶され（ステップＳｔ２４）、また上記縦軸最大値が抽出されＲＡＭ５５に記憶される（ステップＳｔ２５）。
【００５０】
そして、上記ステップＳｔ１６、ステップＳｔ１８、ステップＳｔ１９、ステップＳｔ２１、ステップＳｔ２２、ステップＳｔ２４、ステップＳｔ２５がそれぞれ終了すると、ステップＳｔ２６において、一ヶ月目の日毎の日負荷曲線（最大３１本の折れ線）が生成され、ステップＳｔ２７において、二ヶ月目の日毎の日負荷曲線（最大３１本の折れ線）が生成され、ステップＳｔ２８において、ｎヶ月目の日毎の日負荷曲線（最大３１本の折れ線）が生成され、また、これらの日負荷曲線は、ＲＡＭ５５に記憶される。次いで、ステップＳｔ２９では、一ヶ月目の単月デマンドグラフが生成され、ステップＳｔ３０では、二ヶ月目の単月デマンドグラフが生成され、ステップＳｔ３１では、ｎヶ月目の単月デマンドグラフがそれぞれ生成される。これらそれぞれの単月デマンドグラフは、上記ステップＳｔ７で説明した単月デマンドグラフ（例えば、図７に示す単月デマンドグラフ）と同じ構成であるとともに、それぞれの単月デマンドグラフは、上記ＲＡＭ５５に記憶される。
【００５１】
また、上記一ヶ月目からｎヶ月目の各単月デマンドグラフが生成されると、次いで、ステップＳｔ３２において、複数月一体形式のデマンドグラフが生成される。この複数月一体形式のデマンドグラフは、図８に示すものであり、先に説明した複数月一体形式のデマンドグラフ用テンプレート７１に、それぞれ上記ＲＡＭ５５に記憶された上記各情報が入力されたものである。すなわち、この複数月一体形式のデマンドグラフには、左上の単月グラフ表示部７１ａに最も若い特定の月（平成２８年０５月）の情報が割り当てられ、その右隣の単月グラフ表示部７１ａには、次の月（平成２８年０６月）の情報が割り当てられ、その右隣の単月グラフ表示部７１ａには、さらに次の月（平成２８年０７月）の情報が割り当てられ、上記最も若い特定の月（平成２８年０５月）の情報が割り当てられた単月グラフ表示部７１ａの下方には、更に次の月（平成２８年０８月）の情報が割り当てられるというように、上記ＲＡＭ５５に記憶されたカレンダー情報が参照されながら、６つの月が若い順番でそれぞれの単月グラフ表示部７１ａにそれぞれの情報が割り当てられる。そして、上記６つの単月グラフ表示部７１ａに設けられた各折れ線表示区画６１ｊ内には、上記一ヶ月目からｎヶ月目までの日毎の日負荷曲線群（最大３１本の折れ線群）７１ｘが表示され、複数月の範囲を示す月範囲表示部７１ｅに所定の月範囲が、例えば、「平成２８年０５月〜平成２８年１０月」として表示され、上記ＩＤ情報表示部７１ｆには、特定の電力需要家の名称と識別記号である（例えば）「・・・株式会社  ・・−・・・・−・」と表示され、また、上記最大電力発生日表示部７１ｇを構成する最大電力発生日表示部７１ｊには、（例えば）「８月１０日」と表示されている。この最大電力発生日表示部７１ｊに表示される日付は、上記ステップＳｔ１０で抽出された情報である。また、上記最大電力発生時刻表示部７１ｍには、（例えば）「１１：３０ＡＭ」として、ステップＳｔ１０で抽出された最大電力発生時刻が表示され、また、上記最大電力表示部７１ｐには、（例えば）「８５．４」という最大電力値（最大デマンド値）が表示されている。この最大電力値は、上記ステップＳｔ１２で抽出されたものである。そして、この実施の形態に係るデマンドグラフ作成表示装置５１では、上記ステップＳｔ１１で抽出されるとともにＲＡＭ５５に記憶された最大電力発生月に関する情報を基に、該最大電力が発生した月に係る特定の単月グラフ表示部７１ａ（図８では、平成２７年８月）のみが特定の色（例えば赤色）で囲まれて表示される（本発明を構成する月識別部が表示される）とともに、この囲われた部位の上方に設けられた上記注意喚起表示部７１ｂに、「＊最大電力値発生月＊」の文字が表示されている。また、この複数月一体形式のデマンドグラフには、上記それぞれの（６つの）単月グラフ表示部７１ａ内に設けられたす月表示部７１ｃには、それぞれ（例えば）「平成２８年０５月」、「平成２８年０６月」・・・「平成２８年１０月」と表示されている。なお、このように、ステップＳｔ３２において生成された複数月デマンドグラフ（複数月一体形式のデマンドグラフ）は、上記ＲＡＭ５５に記憶される。
【００５２】
そして、上記ステップＳｔ３２で複数月デマンドグラフ（複数月一体形式のデマンドグラフ）が生成され、これがＲＡＭ５５に記憶された後、上記入力装置５６により、上記一ヶ月目の単月デマンドグラフからｎヶ月目の単月デマンドグラフの何れか、或いは、上記複数月デマンドグラフ（複数月一体形式のデマンドグラフ）が選択され、これらの何れかを表示するための所定の命令信号が入力されると、上記作成側ＣＰＵ５２により、上記ＲＡＭ５５に記憶された上記特定の月の単月デマンドグラフ又は複数月デマンドグラフ（複数月一体形式のデマンドグラフ）が上記表示装置５７に表示され、（ステップＳｔ３３）、また、ステップＳｔ３４において、上記入力装置５６により、上記特定の月の単月デマンドグラフ又は複数月デマンドグラフ（複数月一体形式のデマンドグラフ）を出力（印刷）するための命令信号が入力されると、上記印刷装置５８により所定の紙等のシート体に、特定された所定のデマンドグラフが印刷される。
【００５３】
したがって、上記デマンドサービス提供事業者は、上記印刷装置５８により印刷された（例えば、図７又は図８に示す）単月デマンドグラフ又は複数月一体形式のデマンドグラフを電力需要家に提示しながら消費電力に関する助言等を行うことができる。特に、この実施の形態に係るデマンドグラフ作成表示装置５１により作成され、印刷手段である上記印刷装置５８により印刷された上記単月デマンドグラフは、特定の月を構成する一日毎のデマンド値の推移が、上記各グラフ表示区画６１ａに表示された日毎の負荷曲線群（折れ線群）６１ｘとして表示されていることから、特定の電力需要家の電力消費傾向や日毎の実態等を一目で容易に把握することができ、ひいては消費電力の抑制に向けた効果的な対策を策定することができる。例えば、図７に示す単月デマンドグラフでは、平成２８年８月１日から同月３１日までの３１本の折れ線群６１ｘが色分けされた状態で表示されていることから、３１日間全体を通して、電力の消費傾向を確認することができるとともに、特定の折れ線は、上記対応関係表示部６１ｐにより対照し、また、上記最大電力発生日表示部６１ｕに表示された最大電力発生日（８月１０日）を目視することにより、一目で該最大電力が発生した日を特定することができる。また、これと同時に、上記特定の折れ線と、最大電力表示部６１ｗとにより、その最大電力が発生した時間を特定することができる。図７に示す単月デマンドグラフの例では、最大電力が発生した時間が「１１：３０」であり、最大電力値は「８５．４ｋＷ」である。また、この図７に示す単月デマンドグラフでは、上記「１１：３０」に最大電力が発生しているが、この時刻の後の「１５：３０」辺りにおいて、上記最大電力に近い電力が使用された事実も確認することができる。すなわち、こうした単月デマンドグラフによれば、一日間のデマンド値の推移のみが表示された全部で３１のデマンドグラフのそれぞれを比較対照する方法では、到底把握することができない過去の微妙な異常状態を一目で確認することができ、こうした異常状態の確認により、過去の操業の実態を遡って確認し、消費電力の軽減に向けた実効性の高い施策を策定することが可能となる。
【００５４】
また、上記複数月一体形式のデマンドグラフによれば、複数月のデマンドグラフを一枚の用紙で確認することができることから、上記単月デマンドグラフから確認できる事項に加えて、単月デマンドグラフ同士を互いに見比べることにより、季節ごとの消費電力傾向等のように、ある程度長い期間に亘った消費電力傾向を容易に把握することができ、また、単月デマンドグラフから発見・確認された僅かな異常値ないし問題点と同様の状態を他の単月デマンドグラフからも容易に発見・確認することができ、例えば、こうした異常値等の発生は冬場又は夏場に多く見られる等の傾向も把握することが可能となる。特に、この複数月一体形式のデマンドグラフでは、最大電力が発生した月に係る特定の単月グラフ表示部７１ａ（図８では、平成２７年８月）のみが特定の色（例えば赤色）で囲まれて表示されるとともに、この囲われた部位の上方に設けられた上記注意喚起表示部７１ｂに、「＊最大電力値発生月＊」の文字が表示されていることから、一目で最大電力が発生した月を特定することができ、また、上記最大電力表示表７１ｇに目を移すことにより、最大電力発生日、最大電力発生時及び最大電力値を確認することができる。
【００５５】
さらにまた、この複数月一体形式のデマンドグラフにより発見された微妙な異常事態が発生していた特定の月のデマンドグラフ（単月デマンドグラフ）により確認したい場合には、上記入力装置５６の操作により、上記ＲＡＭ５５に記憶された該特定の単月デマンドグラフを上記表示装置５７に大きく表示させ、或いは該特定の単月デマンドグラフを印刷装置５８により印刷することができ、これらの操作により、より一層正確にその月の特定の日における消費電力の経緯を確認することができる。
【００５６】
なお、上記実施の形態に係るデマンドグラフ作成表示装置５１では、図４に示す複数月一体形式のデマンドグラフ用テンプレート７１を用い、この複数月一体形式のデマンドグラフ用テンプレート７１を用いて、図８に示す六ヵ月分の単月デマンドグラフが一体とされた複数月一体形式のデマンドグラフを作成したが、本発明に係る複数月一体形式のデマンドグラフは、このように六ヵ月分ではなく、十二ヵ月分が一体とされた図示しない複数月一体形式のデマンドグラフ用テンプレートを用い、図９に示す複数月一体形式のデマンドグラフを作成表示するものであっても良い。また、上記入力装置５６により入力された指定期間が、六ヵ月を超える場合において、最初のページに六ヵ月分の複数月一体形式のデマンドグラフを作成し、残り六ヵ月分の複数月一体形式のデマンドグラフを次のページに作成したものであっても良い。
【００５７】
また、上記実施の形態に係るデマンドグラフ作成表示装置５１では、デマンド情報を該デマンドグラフ作成表示装置５１に取得する方法・手順として、デマンドグラフ作成表示装置５１と監視サーバー４１とを接続し、該監視サーバー４１からデマンド情報を取得する方法を採用したが、本発明を構成するデマンド情報記憶ステップは、必ずしもこのように、監視サーバー４１から取得することなく、例えば、該監視サーバー４１から上記デマンド情報を図示しない持ち運び可能な記憶媒体（例えば、メモリースティック又はハードディスク装置）に記憶させる一方、上記デマンドグラフ作成表示装置５１には上記記憶媒体が接続可能な入出力端子（Ｉ／Ｏ）を設け、この入出力端子を介して上記記憶媒体を接続するとともに、これに記憶されたデマンド情報を、上記ＲＡＭ５５に記憶させる方法であっても良い。
【符号の説明】
【００５８】
５１  デマンドグラフ作成表示装置
５２  中央演算処理装置（作成側ＣＰＵ）
５４  ＲＯＭ
５５  ＲＡＭ
５６  入力装置
５７  表示装置
５８  印刷装置
６１  単月デマンドグラフ用テンプレート
６１ｆ  デマンド値軸
６１ｇ  時間を表す数字
６１ｈ  時刻軸
６１ｋ  デマンド値表示部
６１ｐ  対応関係表示部
６１ｍ  「１日」・・・「３１日（又は２８，２９日又は３０日）」の各文字
６１ｎ  直線
６１ｑ  最大電力表示表
６１ｕ  最大電力発生日表示部
６１ｖ  最大電力発生時刻表示部
６１ｗ  最大電力表示部
６１ｘ  日毎の負荷曲線群（折れ線群）
７１  複数月一体形式のデマンドグラフ用テンプレート
７１ｇ  最大電力表示表
７１ｊ  最大電力発生日表示部
７１ｍ  最大電力発生時刻表示部
７１ｐ  最大電力表示部
７１ｘ  日毎の負荷曲線群（折れ線群）
【図１】
2018068061.tif 000003
【図２】
2018068061.tif 000004
【図３】
2018068061.tif 000005
【図４】
2018068061.tif 000006
【図５】
2018068061.tif 000007
【図６】
2018068061.tif 000008
【図７】
2018068061.tif 000009
【図８】
2018068061.tif 000010
【図９】
2018068061.tif 000011